【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
断熱区画された貯蔵室を有する断熱箱体と、前記貯蔵室の内部に収納された青果物に水分を補給するための液体を霧化して噴霧する噴霧手段と、前記貯蔵室内に第一の波長と前記第一の波長と異なる第二の波長とを発光する照射手段とを備え、前記貯蔵室内に収納された青果物に、前記照射手段によって光を照射することで前記青果物の気孔を開閉させるとともに、前記噴霧手段によって、前記青果物の内部に強制的に水分を補給することで青果物の水分含有量を向上させる冷蔵庫。
【請求項２】
前記第一の波長の発光波長領域は青果物の気孔開口作用を有する波長領域で前記第二の発光波長領域は青果物の気孔閉口作用を有する波長領域である請求項１に記載の冷蔵庫。
【請求項３】
前記第一の波長は４００〜５００ｎｍの青色光を含む請求項１または２に記載の冷蔵庫。
【請求項４】
前記第二の波長は５００〜６００ｎｍの緑色光を含む請求項１から３のいずれか一項に記載の冷蔵庫。
【請求項５】
前記照射手段は前記第一の波長と、前記第二の波長を交互照射する請求項１から４のいずれか一項に記載の冷蔵庫。
【請求項６】
前記噴霧手段は前記照射手段によって前記第一の波長が照射されている時に運転される請求項１から５のいずれか一項に記載の冷蔵庫。
【請求項７】
前記照射手段の第二の波長は前記噴霧手段が停止時に照射される請求項１から６のいずれか一項に記載の冷蔵庫。
【請求項８】
前記貯蔵室の一画に庫内環境検知手段を設け、前記検知手段の信号に連動して、前記照射手段と前記噴霧手段を運転制御する請求項１から７のいずれか一項に記載の冷蔵庫。
【請求項９】
前記庫内環境検知手段は、前記貯蔵室内の温度を検知する温度検知手段で、前記温度検知手段の検知する温度が所定温度範囲内では前記第一の波長を照射し、前記温度検知手段の検知する温度が所定範囲外の場合は、前記第二の波長を照射する請求項８に記載の冷蔵庫。
【請求項１０】
前記庫内環境検知手段は前記貯蔵室内の相対湿度を検知する湿度検知手段で、前記湿度検知手段の検知する相対湿度が所定湿度以上では前記第一の波長を照射し、前記湿度検知手段の検知する相対湿度が所定湿度以下では、前記第二の波長を照射する請求項８に記載の冷蔵庫。
【請求項１１】
前記庫内環境検知手段は前記貯蔵室内の風速を検知する風速検知手段で、前記風速検知手段の検知した風速が所定風速未満では前記第一の波長を照射し、前記風速検知手段の検知した風速が所定風速以上では、前記第二波長を照射する請求項８に記載の冷蔵庫。
【請求項１２】
前記庫内環境検知手段は前記貯蔵室の扉開閉を検知する扉開閉検知手段で、前記扉開閉検知手段が扉閉時検知時は前記第一の波長を照射し、前記扉開閉検知手段が扉開を検知時は前記第二の波長を照射する請求項８に記載の冷蔵庫。
【請求項１３】
前記照射手段は光量子密度が０．１〜１００μＭ／ｍ２／ｓである請求項１から１２のいずれか一項に記載の冷蔵庫。
【請求項１４】
前記噴霧手段は粒子径０．００３〜２０μｍのミストを発生するものである請求項１から１３のいずれか一項に記載の冷蔵庫。
【請求項１５】
前記噴霧手段のミスト噴霧量は０．０００７〜０．１ｇ／Ｌ／ｈ以下である請求項１から１４のいずれか一項に記載の冷蔵庫。
【請求項１６】
前記貯蔵室内部に透光性材料の収納容器を設け、前記収納容器の外周に前記照射手段を備えた請求項１から１５のいずれか一項に記載の冷蔵庫。
【手続補正２】
【補正対象書類名】明細書
【補正対象項目名】００２４
【補正方法】変更
【補正の内容】
【００２４】
請求項１に記載の発明は、断熱区画された貯蔵室を有する断熱箱体と、前記貯蔵室の内部に収納された青果物に水分を補給するための液体を霧化して噴霧する噴霧手段と、前記貯蔵室内に第一の波長と前記第一の波長と異なる第二の波長とを発光する照射手段とを備え、前記貯蔵室内に収納された青果物に、前記照射手段によって光を照射することで前記青果物の気孔を開閉させるとともに、前記噴霧手段によって、前記青果物の内部に強制的に水分を補給することで青果物の水分含有量を向上させることで、青果物に刺激を与えながら、気孔開閉を誘引し、水補給手段によって、前記青果物の内部に強制的に水分を補給することにより、青果物の水分含有量を向上させることができる。
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】変更
【補正の内容】
【００２８】
請求項２に記載の発明は、請求項１に記載の発明において、第一の波長の発光波長領域は青果物の気孔開口作用を有する波長領域で、第二の発行波長領域は青果物の気孔閉口作用を有する波長領域とすることにより、前記照射手段は第一の波長を照射することにより、青果物表面の気孔を開口し水分を補給し、また、第二の波長を照射することにより、青果物表面の気孔を閉口し、野菜の水分蒸散を抑制することができる。
【手続補正６】
【補正対象書類名】明細書
【補正対象項目名】００２９
【補正方法】変更
【補正の内容】
【００２９】
請求項３に記載の発明は、請求項１または２に記載の発明において、第一の波長の波長領域は４００〜５００ｎｍの青色光を含む波長とすることにより、青果物の気孔に最適な波長の青色光を照射するため、より効率よく開孔面積を広げることができる。
【手続補正７】
【補正対象書類名】明細書
【補正対象項目名】００３０
【補正方法】変更
【補正の内容】
【００３０】
請求項４に記載の発明は、請求項１から３のいずれか一項に記載の発明において、第二の波長の波長領域は５００〜６００ｎｍの緑色光を含む波長とすることにより、青果物の気孔を閉口に最適な波長の緑色光を照射するため、より効率良く気孔を閉口することができる。
【手続補正８】
【補正対象書類名】明細書
【補正対象項目名】００３１
【補正方法】変更
【補正の内容】
【００３１】
請求項５に記載の発明は、請求項１から４のいずれか一項に記載の発明において、照射手段は第一の波長と第二の波長を交互照射することにより、前記第一の波長を連続照射するよりも、より青果物の気孔開度が向上するため、より効率よく開口面積を広げることができる。
【手続補正９】
【補正対象書類名】明細書
【補正対象項目名】００３２
【補正方法】変更
【補正の内容】
【００３２】
請求項６に記載の発明は、請求項１から５のいずれか一項に記載の発明において、前記噴霧手段は前記照射手段によって前記第一の波長が照射されている時に運転されることにより、青果物の気孔開口時には、水補給手段を運転するため、青果物の気孔から水分が放出するのを抑制しつつ、気孔からの水分補給を行うことができる。
【手続補正１０】
【補正対象書類名】明細書
【補正対象項目名】００３３
【補正方法】変更
【補正の内容】
【００３３】
請求項７に記載の発明は、請求項１から６のいずれか一項に記載の発明において、前記照射手段の第二の波長は前記噴霧手段が停止時に照射されることにより、水補給手段が停止時は、第二の照射手段を照射し、青果物の気孔を閉口させるため、気孔からの水分蒸散を抑制することができる。
【手続補正１１】
【補正対象書類名】明細書
【補正対象項目名】００３４
【補正方法】変更
【補正の内容】
【００３４】
請求項８に記載の発明は、請求項１から７のいずれか一項に記載の発明において、貯蔵室内の一画に庫内環境検知手段を設け、前記検知手段の信号に連動して、前記照射手段と前記水補給手段を運転制御することにより、検知手段が検知した環境条件に合わせて気孔開閉の制御をするため、より効率よく水分の補給と蒸散抑制ができる。
【手続補正１２】
【補正対象書類名】明細書
【補正対象項目名】００３５
【補正方法】変更
【補正の内容】
【００３５】
請求項９に記載の発明は、請求項８に記載の発明において、庫内環境検知手段は前記貯蔵室内の温度を検知する温度検知手段で、前記温度検知手段の検知する温度が所定温度範囲内では前記第一の波長を照射し、前記温度検知手段の検知する温度が所定温度範囲外の場合は、前記第二の波長を照射することにより、青果物に最適な温度でのみ気孔を開孔させ、低温障害の生じやすい低温時あるいは、蒸散作用の盛んな高温時では気孔を閉じるため、良好な組織状態を保持しつつ、水分補給と蒸散抑制ができる。
【手続補正１３】
【補正対象書類名】明細書
【補正対象項目名】００３６
【補正方法】変更
【補正の内容】
【００３６】
請求項１０に記載の発明は、請求項８に記載の発明において、庫内環境検知手段は前記貯蔵室内の相対湿度を検知する湿度検知手段で、前記湿度検知手段の相対湿度が所定湿度以上では前記第一の波長を照射し、前記湿度検知手段の検知する相対湿度が所定湿度以下では、前記第二の波長を照射することにより、青果物内部の相対湿度にほぼ近く、蒸散作用がほとんど生じない所定湿度以上でのみ気孔を開口させ、青果物内部の相対湿度との差が大きく、蒸散作用が盛んとなる所定湿度以下では、気孔を閉口させるため、より効率よく、水分の補給と、蒸散抑制ができる。
【手続補正１４】
【補正対象書類名】明細書
【補正対象項目名】００３７
【補正方法】変更
【補正の内容】
【００３７】
請求項１１に記載の発明は、請求項８に記載の発明において、検知手段は前記貯蔵室内の風速を検知する風速検知手段で、前記風速検知手段の検知した風速が所定風速未満では前記第一の波長を照射し、前記風速検知手段の検知した風速が所定風速以上では、前記第二の波長を照射することにより、青果物の蒸散が盛んな所定風速以上では気孔を閉じ、青果物の蒸散が生じにくい、所定風速未満でのみ気孔を開口させるため、より効率よく、水分の補給と、蒸散抑制ができる。
【手続補正１５】
【補正対象書類名】明細書
【補正対象項目名】００３８
【補正方法】変更
【補正の内容】
【００３８】
請求項１２に記載の発明は、請求項８に記載の発明において、庫内環境検知手段は前記貯蔵室の扉開閉を検知する扉開閉検知手段で、前記扉開閉検知手段が扉閉時検知時は前記第一の波長を照射し、前記扉開閉検知手段が扉開を検知時は前記第二の波長を照射することにより、貯蔵室内の温度や相対湿度が安定している貯蔵室の扉が閉時のみ気孔を開口し、貯蔵室内の温度上昇や、相対湿度低下が生じ、青果物の蒸散が盛んとなる扉開時は気孔を閉じるため、より効率よく、水分の補給と、蒸散抑制ができる。
【手続補正１６】
【補正対象書類名】明細書
【補正対象項目名】００３９
【補正方法】変更
【補正の内容】
【００３９】
請求項１３に記載の発明は、請求項１から１２のいずれか一項に記載の発明において、照射手段は光量子密度が０．１〜１００μＭ／ｍ２／ｓの光量で照射することにより、青果物の気孔に最適な照射強度で照射するため、効率良く気孔開閉することができ省エネにもつなげることができる。
【手続補正１７】
【補正対象書類名】明細書
【補正対象項目名】００４０
【補正方法】変更
【補正の内容】
【００４０】
請求項１４に記載の発明は、請求項１から１３のいずれか一項に記載の発明において、前記噴霧手段は粒子径０．００３〜２０μｍのミストを発生するものであることにより、青果物の気孔のり開口径より小さいミストを噴霧するため、より効率よく水分を補給することができる。
【手続補正１８】
【補正対象書類名】明細書
【補正対象項目名】００４１
【補正方法】変更
【補正の内容】
【００４１】
請求項１５に記載の発明は、請求項１から１４のいずれか一項に記載の発明において、前記噴霧手段のミスト噴霧量は０．０００７〜０．１ｇ／Ｌ／ｈ以下であることにより、青果物に適正なミスト量を噴霧するため、青果物内に十分水を補給することができ、且つ水分過多による水腐れなどの品質劣化を防ぐことができる。
【手続補正１９】
【補正対象書類名】明細書
【補正対象項目名】００４２
【補正方法】変更
【補正の内容】
【００４２】
請求項１６に記載の発明は、請求項１から１５のいずれか一項に記載の発明において、貯蔵室内部に透光性材料の収納容器を設け、前記収納容器の外周に前記照射手段を備えることにより、収納容器の外周から照射される光を収納容器内部に透過し、収納容器内に貯蔵された青果物に均一に光を照射するため、青果物の気孔開閉を均一に制御することができる。